(57)【要約】      （修正有）【課題】識別ラベルを容易に運用・管理することが可能なラベルホルダーを提供する。【解決手段】収納容器に取り付けられ、収納容器に入っている内容物を識別する識別ラベルを挿入するためのラベルホルダー１５である。識別ラベルは、ラベルホルダー１５に対して、上下及び表裏に差し替え可能に構成されており、表面は表側上側エリアと表側下側エリアに別れており、裏面は裏側上側エリアと裏側下側エリアに別れている。ラベルホルダー１５は、識別ラベルの表側上側エリア又は裏側上側エリアのみを表示する識別ラベル表示エリア６と、第１、第２、第３及び第４のバーコードと接触しない位置に設けられた識別ラベル押え部１、２とを有する。【選択図】図１
2014021443.tif 000002
【特許請求の範囲】
【請求項１】
収納容器に取り付けられ、前記収納容器に入っている内容物を識別する識別ラベルを挿入するためのラベルホルダーであって、
前記識別ラベルは、前記ラベルホルダーに対して、上下及び表裏に差し替え可能に構成されており、
表面は少なくとも表側上側エリアと表側下側エリアに別れており、前記表側上側エリアには第１の内容物を識別するための第１のバーコードが設けられており、前記表側下側エリアには第２の内容物を識別するための第２のバーコードが設けられており、
裏面は少なくとも裏側上側エリアと裏側下側エリアに別れており、前記裏側上側エリアには第３の内容物を識別するための第３のバーコードが設けられており、前記裏側下側エリアには第４の内容物を識別するための第４のバーコードが設けられており、
前記ラベルホルダーは、
前記識別ラベルの前記表側上側エリア又は裏側上側エリアのみを表示する識別ラベル表示エリアと、
前記第１、第２、第３及び第４のバーコードと接触しない位置に設けられた識別ラベル押え部とを有することを特徴とするラベルホルダー。
【請求項２】
前記ラベルホルダーは、
前面板と背面板を有し、
前記前面板には、前面ラベル押え部が設けられ、
前記背面板には、背面ラベル押え部が設けられ、
前記前面ラベル押え部と前記背面ラベル押え部とで前記識別ラベル押え部が構成されることを特徴とする請求項１に記載のラベルホルダー。
【請求項３】
前記背面板は、前記収納容器の取付け面と平行でない傾斜勾配を有することを特徴とする請求項２に記載のラベルホルダー。
【請求項４】
前記背面ラベル押え部は、前記背面板の中央に設けられ、かつ前記背面板と平行でない傾斜を有することを特徴とする請求項２又は３に記載のラベルホルダー。
【請求項５】
前記背面板には、前記収納容器を裏返しても前記識別ラベルが抜け落ちないようにする識別ラベル落下防止部が設けられていることを特徴とする請求項２〜４のいずれか１項に記載のラベルホルダー。
【請求項６】
前記識別ラベル落下防止部は、前記背面板の上部両端にそれぞれ設けられていることを特徴とする請求項５に記載のラベルホルダー。
【請求項７】
前記背面板の上部中央には、前記識別ラベルを前記ラベルホルダーから抜き取り可能にするための指掛用切欠き部が設けられていることを特徴とする請求項２〜６のいずれか１項に記載のラベルホルダー。
【請求項８】
前記背面板には、前記識別ラベル表示エリア内に、前記ラベルホルダーに前記識別ラベルが挿入されていないことを検知するための識別ラベル有無バーコードが設けられていることを特徴とする請求項２〜７のいずれか１項に記載のラベルホルダー。
【請求項９】
前記前面板には、前記表側下側エリアの前記第２バーコード又は前記裏側下側エリアの前記第４バーコードの一部を表示するための小窓部が設けられていることを特徴とする請求項２〜８のいずれか１項に記載のラベルホルダー。
【発明の詳細な説明】
【技術分野】
【０００１】
本発明は、収納容器に入っている内容物を識別する識別ラベルを挿入するためのラベルホルダーに関する。
【背景技術】
【０００２】
通常、コンベアシステムにおいては、収納容器に入っている内容物の種類によって所定の場所に収納容器を搬送し、内容物の種類に応じた処理を行っている。この際、所定の場所に収納容器を搬送するために、内容物の種類を表示した識別ラベルが収納容器のラベルホルダーに差し込まれている。
【０００３】
しかし、識別ラベルに表示できる内容物の種類が、例えば、表裏の２種類と少なく、ラベルホルダーに差し込まれている識別ラベルとは別の種類の識別ラベルを準備・管理しなければならなかった。この結果、到る所に異なる種類の識別ラベルを配置しておかなければならなかった。
【０００４】
これに関連する技術として、例えば、特開２００４−３５０７７号公報（特許文献１）がある。特許文献１では、収納容器にホルダーが取り付けられており、このホルダーに識別カードが支持されている。
【先行技術文献】
【特許文献】
【０００５】
【特許文献１】特開２００４−３５０７７号公報
【発明の概要】
【発明が解決しようとする課題】
【０００６】
従来では、識別ラベルは、例えば、１枚で表・裏の最大２種類の識別表記しかできなく、４種類の識別をするためには、２枚のラベルを準備・管理しておかなければならなく、２枚のラベルを管理しておく場所以外での識別ラベルの差し替えが困難であった。
【０００７】
本発明の目的は、上述した従来技術の課題を解決するための技術を提供することにあり、識別ラベルを容易に運用・管理することが可能なラベルホルダーを提供することにある。
【課題を解決するための手段】
【０００８】
本発明に係るラベルホルダーは、
収納容器に取り付けられ、前記収納容器に入っている内容物を識別する識別ラベルを挿入するためのラベルホルダーであって、
前記識別ラベルは、前記ラベルホルダーに対して、上下及び表裏に差し替え可能に構成されており、
表面は少なくとも表側上側エリアと表側下側エリアに別れており、前記表側上側エリアには第１の内容物を識別するための第１のバーコードが設けられており、前記表側下側エリアには第２の内容物を識別するための第２のバーコードが設けられており、
裏面は少なくとも裏側上側エリアと裏側下側エリアに別れており、前記裏側上側エリアには第３の内容物を識別するための第３のバーコードが設けられており、前記裏側下側エリアには第４の内容物を識別するための第４のバーコードが設けられており、
前記ラベルホルダーは、
前記識別ラベルの前記表側上側エリア又は裏側上側エリアのみを表示する識別ラベル表示エリアと、
前記第１、第２、第３及び第４のバーコードと接触しない位置に設けられた識別ラベル押え部とを有することを特徴とする。
【発明の効果】
【０００９】
本発明によれば、収納容器に入っている内容物を識別する識別ラベルを挿入するためのラベルホルダーにおいて、識別ラベルを容易に運用・管理することができる。
【図面の簡単な説明】
【００１０】
【図１】本発明の実施の形態に係るラベルホルダーの構成を示す図であり、（ａ）は側面図、（ｂ）は正面図である。
【図２】本発明の実施の形態に係るラベルホルダーの構成を示す斜視図である。
【図３】本発明の実施の形態に係る識別ラベルの構成を示す図である。
【図４】本発明の実施の形態に係る識別ラベルの構成を示す図である。
【図５】本発明の実施の形態に係る収納容器の構成を示す斜視図である。
【図６】本発明の実施の形態に係る収納容器の構成を示す正面図である。
【図７】図６に示す収納容器のＡ−Ａ断面図である。
【図８】バーコードリーダーで識別ラベルに記載されているバーコードを読み取る際の状態を示す図である。
【図９】本発明の実施の形態に係る収納容器の搬送システムの構成を示す図である。
【図１０】本発明の他の実施の形態に係るコンベアシステムに配置されたバーコードリーダーの配置を示す図である。
【図１１】本発明の他の実施の形態に係るラベルホルダーの構成を示す斜視図である。
【図１２】本発明の他の実施の形態に係るラベルホルダーの構成を示す正面図である。
【発明を実施するための形態】
【００１１】
本発明の実施の形態について図面を参照して詳細に説明する。
【００１２】
最初に、図５及び図６を参照して、本発明の実施の形態に係る収納容器の構成について説明する。ここで、図５は、収納容器の構成を示す斜視図であり、図６は、収納容器の構成を示す正面図である。
【００１３】
図５及び図６に示すように、収納容器（コンテナ、トレイ、ケース等）９には、内容物１１が入っている。収納容器９には、内容物１１を識別するための識別ラベル１４を挿入するためのラベルホルダー１５が取り付けられている。
【００１４】
次に、図１及び図２を参照して、本発明の実施の形態に係るラベルホルダーの構成について説明する。ここで、図１（ａ）は、ラベルホルダーの構成を示す側面図であり、図１（ｂ）は、ラベルホルダーの構成を示す正面図である。また、図２は、ラベルホルダーの構成を示す斜視図である。
【００１５】
図１及び図２に示すように、ラベルホルダー１５は、前面板３と背面板４を有する。前面板３には、前面ラベル押え部１が設けられており、背面板４の中央には、背面板４と平行でない傾斜のついた背面ラベル押え部２が設けられている。
【００１６】
背面板４の上部両端には、収納容器９を裏返しても識別ラベル１４が抜け落ちないようにするラベル落下防止部５が設けられている。背面板４の上部中央には、識別ラベル１４をラベルホルダー１５から抜き取り易くするための指掛用切欠き部７が設けられている。
【００１７】
また、正面より背面板４を見たときに、前面板３に遮られない位置の背面板４上に、ラベルホルダー１５に識別ラベル１４が挿入されていないことを識別するためのラベル有無バーコード８が設けられている。さらに、識別ラベル１４の上半分（上側）のみを表示するための識別ラベル表示エリア６が設けられている。
【００１８】
図７に示すように、ラベルホルダー１５の背面板４には傾斜勾配θ１７が設けてある。これは、図８に示すように、ラベルホルダー１５を取り付ける収納容器９の取付け面は、バーコードリーダー１６で識別ラベル１４に記載されているバーコードを読み取る際の読取率を低下させる方向となっており、読取率を低下させないために傾斜勾配θ１７が設けられている。
【００１９】
次に、図３及び図４を参照して、本発明の実施の形態に係る識別ラベルの構成について説明する。
【００２０】
図３に示すように、識別ラベル１４は表側上下・裏側上下にそれぞれ２種類の内容物情報（内容物Ａ、内容物Ｂ、内容物Ｃ、内容物Ｄ）が記載されており、１枚の識別ラベル１４で最大４種類の識別表記ができる。記載情報は内容物の種類名（内容物Ａ，Ｂ，Ｃ，Ｄ）と、それぞれの内容物固有のバーコードが記載されている。具体的には、識別ラベル１４の表側上側には、内容物Ａ用バーコード２８が記載され、識別ラベル１４の表側下側には、内容物Ｂ用バーコード２９が記載されている。さらに、識別ラベル１４の裏側上側には、内容物Ｃ用バーコード３１が記載され、識別ラベル１４の裏側下側には、内容物Ｄ用バーコード３２が記載されている。
【００２１】
また、図４に示すように、ラベルホルダー１５の前面ラベル押え部１及びお背面ラベル押え部２の位置は、破線部Ｘのエリア内に入るようになっており、前面ラベル押え部１及び背面ラベル押え部２だけで識別ラベル１４を保持している。このため、内容物の種類名（内容物Ａ，Ｂ，Ｃ，Ｄ）と、それぞれの内容物固有のバーコード２８、２９、３１、３２を傷つけることなく、ラベルホルダー１５から識別ラベル１４を抜き差しすることができる。
【００２２】
次に、図９を参照して、本発明の実施の形態に係る収納容器の搬送システムの構成について説明する。
【００２３】
図９に示すように、本発明の実施の形態に係る収納容器の搬送システムは、例えば、内容物１２、１３が収納された複数の収納容器９が積まれた台車２５と、収納容器９あるいは内容物１２、１３を搬送するためのコンベア１０、１８、１９、２０、２１、２２、２３と、ラベルホルダー１５に挿入された識別ラベル１４のバーコード２８、２９、３１、３２（図３参照）あるいはラベル有無バーコード８を読み取るためのバーコードリーダー１６と、収納容器９を上下に反転させる収納容器上下反転部２４とを有する。
【００２４】
次に、図９を参照して、本発明の実施の形態に係る収納容器の搬送システムの動作について説明する。
【００２５】
台車２５によって、例えば、内容物１２（Ａ）や内容物１３（Ｂ）が入っている収納容器９が運ばれてくる。オペレータ２６は、台車２５から収納容器９を取り出し、コンベア１０に載せると同時に、収納容器９の中身（内容物の種類Ａ、Ｂ、Ｃ、Ｄ）を確認し、ラベルホルダー１５に既に差し込まれている識別ラベル１４を内容物の種類に応じて差し替える。
【００２６】
例えば、収納容器９の中身が内容物１２（Ａ）だった場合は、識別ラベル表示エリア６に識別ラベル１４の表側上側に記載されている内容物Ａがくるように差し替える。同様に、収納容器９の中身が内容物１３（Ｂ）だった場合は、識別ラベル表示エリア６に識別ラベル１４の表側下側に記載されている内容物Ｂがくるように差し替える。
【００２７】
識別ラベル１４が差し替えられた収納容器９は、コンベア１０からコンベア１８に搬送され、コンベア１８の上部に設置されたバーコードリーダー１６でラベルホルダー１５に差し込まれている識別ラベル１４のバーコードを読み取る。
【００２８】
バーコードリーダー１６で読み取られた結果に従い、コンベア１９で所定の位置に収納容器９を搬送し、内容物の種類（Ａ、Ｂ、Ｃ、Ｄ）に応じた処理が行われる。例えば、バーコードリーダー１６の読取結果により内容物Ａの入った収納容器９はコンベア２１に搬送され、収納容器上下反転部２４にて自動または手動にて収納容器９を上下反転し、収納容器９から内容物Ａを取り出す。
【００２９】
取り出された内容物Ａはコンベア２２で下流に搬送され次の処理が行われる。収納容器上下反転部２４で上下反転され空となった収納容器９は、コンベア２３により下流に搬送され次の処理が行われる。
【００３０】
バーコードリーダー１６でラベルホルダー１５の背面板４に取り付けてあるラベル有無バーコード８（図１参照）を読み取った場合は、ラベルホルダー１５に識別ラベル１４が挿入されてないと判断される。この結果、収納容器９は、コンベア２０により下流に搬送され、コンベアシステムの上流にいるオペレータ２６の場所に持って行かれ、収納容器９に入っている内容物に応じた識別ラベル１４が差し込まれ、バーコードリーダー１６によって読み取った情報により所定の場所に搬送されて所定の処理が行われる。
【００３１】
上述のように、本発明の実施の形態では、識別ラベル１４の表裏に各２種類（合計４種類Ａ、Ｂ、Ｃ、Ｄ）の識別表記ができるようにし、識別ラベル１４上の記載情報を傷つけない位置に前面ラベル押え部１と背面ラベル押え部２が設けられている。さらに、ラベルホルダー１５の上部には、ラベル落下防止部５を設けられている。さらに、識別ラベル１４の上半分だけを表示するための識別ラベル表示エリア６を設け、識別ラベル１４の挿入有無を判断するために、ラベルホルダー１５本体にラベル有無バーコード８を取り付けられている。さらに、バーコードリーダー１６で識別ラベル１４のバーコードを読み取るときの読取率低下を防ぐため、ラベルホルダー１５の背面板４に傾斜勾配１７が設けられている。
【００３２】
従来の２種類記載できる識別ラベルでは、ラベルホルダーに挿入してある識別ラベル以外に他の２種類の情報が記載された別の識別ラベルを準備・管理しなければならなく、到る所に２種類の識別ラベルを配置し、収納容器の内容物が入れ替わるたびに他の識別ラベルを取りに行き、差し替えなければならなかった。
【００３３】
しかし、本発明の実施の形態では、１枚で最大４種類記載できる識別ラベル１４と、識別ラベル１４の上半分のみを表示するための識別ラベル表示エリア６があるラベルホルダー１５を使用することにより、常時、ラベルホルダー１５に１枚の識別ラベル１４が挿入されていればよい。収納容器９に入っている内容物が変われば、その場で識別ラベル１４を上下又は表裏に差し替えればよく、識別ラベル１４の運用・管理が容易となる。
【００３４】
さらに、ラベルホルダー１５にラベル落下防止部５が設けられていることにより、収納容器９を上下反転したときに、ラベルホルダー１５から識別ラベル１４が抜け落ちることがなくなり、識別ラベル１４の紛失や付帯装置への巻き込みが防止できる。
【００３５】
さらに、ラベルホルダー１５の背面板４に傾斜勾配１７（θ）が設けてあるので、バーコードリーダー１６で識別ラベル１４に記載されているバーコードを読み取る際の読取率の低下を防ぐことができる。
【００３６】
さらに、ラベルホルダー１５の前面板３に遮られない位置の背面板４上に、ラベルホルダー１５に識別ラベル１４が挿入されていないことを識別するためのラベル有無バーコード８が設けられている。これにより、バーコードリーダー１６がラベル有無バーコード８を読み取ると、ラベルホルダー１５に識別ラベル１４が挿入されてないことが判断できる。
【００３７】
このように、ラベルホルダー１５に差し込まれている識別ラベル１４以外の別の識別ラベルを準備・管理しなくてもいいように、１枚の識別ラベル１４で最大４種類の識別ができ、さらに、コンベアシステムにおいては、収納容器９の内容物１１を自動又は手動で取り出す際に、識別ラベル１４が抜け落ちることがない。
【００３８】
次に、図１０〜図１２を参照して、本発明の他の実施の形態に係るラベルホルダーの構成について説明する。ここで、図１０は、コンベアシステムに配置されたバーコードリーダーの配置を示す図である。図１１はラベルホルダーの構成を示す斜視図であり、図１２はラベルホルダーの構成を示す正面図である。
【００３９】
図１１に示すように、ラベルホルダー１５の前面板３には小窓部３０が設けられている。これにより、図１２に示すように、識別ラベル表示エリア６から内容物Ａ用バーコード２８が見え、小窓部３０からは内容物Ｂ用バーコード２９が見えるようになる。
【００４０】
そして、図１０に示すように、コンベアシステム（図９参照）において、コンベア１８に識別ラベル表示エリア６の内容物Ａ用バーコード２８を読み取るためのバーコードリーダー１６と、内容物Ｂ用バーコード２９を読み取るためのバーコードリーダー２７を２台設置する。
【００４１】
このような構成の下、図１２において、識別ラベル表示エリア６に表示されている内容物Ａ用バーコード２８に傷が付いていて、バーコードリーダー１６で読み取ることができないような場合でも、内容物Ｂ用バーコード２９がバーコードリーダー２７で読み取ることができた場合は、収納容器９に入れられている内容物は、内容物Ａと判断することできる（図３参照）。この結果、内容物Ａの入った収納容器９は下流に搬送されて、所定の処理を行うことができる。
【００４２】
以上、本発明の実施の形態について具体的に説明したが、本発明は上述の実施形態に限定されるものではなく、本発明技術的思想に基づく各種の変形が可能である。
【００４３】
例えば、上記本発明の実施の形態では、識別ラベルは表側上下・裏側上下にそれぞれ２種類の内容物情報が記載されており、１枚の識別ラベルで最大４種類の識別表記ができるようになっているが、本発明はこれに限定されず、１枚の識別ラベルで４種類を超える識別表記を行うようにしても良い。
【符号の説明】
【００４４】
１  前面ラベル押え部
２  背面ラベル押え部
３  前面板
４  背面板
５  ラベル落下防止部
６  識別ラベル表示エリア
７  指掛用切欠き部
８  ラベル有無バーコード
９  収納容器
１０  コンベア
１１  内容物
１２  内容物
１３  内容物
１４  識別ラベル
１５  ラベルホルダー
１６  バーコードリーダー
１７  傾斜勾配θ
１８  コンベア
１９  コンベア
２０  コンベア
２１  コンベア
２２  コンベア
２３  コンベア
２４  収納容器上下反転部
２５  台車
２６  オペレータ
２７  バーコードリーダー
２８  内容物Ａ用バーコード
２９  内容物Ｂ用バーコード
３０  小窓部
３１  内容物Ｃ用バーコード
３２  内容物Ｄ用バーコード
【図１】
2014021443.tif 000003
【図２】
2014021443.tif 000004
【図３】
2014021443.tif 000005
【図４】
2014021443.tif 000006
【図５】
2014021443.tif 000007
【図６】
2014021443.tif 000008
【図７】
2014021443.tif 000009
【図８】
2014021443.tif 000010
【図９】
2014021443.tif 000011
【図１０】
2014021443.tif 000012
【図１１】
2014021443.tif 000013
【図１２】
2014021443.tif 000014
【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
収納容器に取り付けられ、前記収納容器に入っている内容物を識別する識別ラベルを挿入するためのラベルホルダーであって、
前記識別ラベルは、前記ラベルホルダーに対して、上下及び表裏に差し替え可能に構成されており、
表面は少なくとも表側上側エリアと表側下側エリアに別れており、前記表側上側エリアには第１の内容物を識別するための第１のバーコードが設けられており、前記表側下側エリアには第２の内容物を識別するための第２のバーコードが設けられており、
裏面は少なくとも裏側上側エリアと裏側下側エリアに別れており、前記裏側上側エリアには第３の内容物を識別するための第３のバーコードが設けられており、前記裏側下側エリアには第４の内容物を識別するための第４のバーコードが設けられており、
前記ラベルホルダーは、
前記識別ラベルの前記表側上側エリア又は裏側上側エリアのみを表示する識別ラベル表示エリアと、
前記第１、第２、第３及び第４のバーコードと接触しない位置に設けられた識別ラベル押え部とを有することを特徴とするラベルホルダー。
【請求項２】
前記ラベルホルダーは、
前面板と背面板を有し、
前記前面板には、前面ラベル押え部が設けられ、
前記背面板には、背面ラベル押え部が設けられ、
前記前面ラベル押え部と前記背面ラベル押え部とで前記識別ラベル押え部が構成されることを特徴とする請求項１に記載のラベルホルダー。
【請求項３】
前記背面板には、傾斜勾配が設けられていることを特徴とする請求項２に記載のラベルホルダー。
【請求項４】
前記背面ラベル押え部は、前記背面板の中央に設けられていることを特徴とする請求項２又は３に記載のラベルホルダー。
【請求項５】
前記背面板には、前記収納容器を裏返しても前記識別ラベルが抜け落ちないようにする識別ラベル落下防止部が設けられていることを特徴とする請求項２〜４のいずれか１項に記載のラベルホルダー。
【請求項６】
前記識別ラベル落下防止部は、前記背面板の上部両端にそれぞれ設けられていることを特徴とする請求項５に記載のラベルホルダー。
【請求項７】
前記背面板の上部中央には、前記識別ラベルを前記ラベルホルダーから抜き取り可能にするための指掛用切欠き部が設けられていることを特徴とする請求項２〜６のいずれか１項に記載のラベルホルダー。
【請求項８】
前記背面板には、前記識別ラベル表示エリア内に、前記ラベルホルダーに前記識別ラベルが挿入されていないことを検知するための識別ラベル有無バーコードが設けられていることを特徴とする請求項２〜７のいずれか１項に記載のラベルホルダー。
【請求項９】
前記前面板には、前記表側下側エリアの前記第２バーコード又は前記裏側下側エリアの前記第４バーコードの一部を表示するための小窓部が設けられていることを特徴とする請求項２〜８のいずれか１項に記載のラベルホルダー。
【手続補正２】
【補正対象書類名】明細書
【補正対象項目名】００２１
【補正方法】変更
【補正の内容】
【００２１】
また、図４に示すように、ラベルホルダー１５の前面ラベル押え部１及び背面ラベル押え部２の位置は、破線部Ｘのエリア内に入るようになっており、前面ラベル押え部１及び背面ラベル押え部２だけで識別ラベル１４を保持している。このため、内容物の種類名（内容物Ａ，Ｂ，Ｃ，Ｄ）と、それぞれの内容物固有のバーコード２８、２９、３１、３２を傷つけることなく、ラベルホルダー１５から識別ラベル１４を抜き差しすることができる。